(57)【要約】【課題】  着脱可能な記録媒体が装着されるデータ記録再生装置であって、誤操作を防止できる装置を提供する。【解決手段】  データ記録再生装置の一態様であるＤＶＤレコーダを実現するシステム制御回路が実行する処理は、判定処理の実行の指令を検知するステップ（Ｓ４１０）と、ディスクのリードインエリアからメディア情報を取得するステップ（Ｓ４２０）と、ディスクのデータエリアから記録モード情報を取得するステップ（Ｓ４３０）と、ディスクの種類を特定する処理を実行するステップ（Ｓ４４０）と、特定されたデータに基づいて画面表示用データを生成するステップ（Ｓ４５０）と、画面表示用データを出力するステップ（Ｓ４６０）とを含む。【選択図】        図４
2006040320.tif 000002
【特許請求の範囲】
【請求項１】
記録媒体が着脱可能な駆動手段を備え、
前記記録媒体には、媒体の種類を表わすメディア情報と、データの記録の方式を表わす記録モード情報とが格納されており、
さらに、
前記駆動手段に装着される前記記録媒体におけるデータの書き込みおよび読み出しの可否を特定するために予め作成されたプログラムを格納する記憶手段と、
外部から指示の入力を受け付ける入力手段と、
前記駆動手段に装着された記録媒体から、前記メディア情報と前記記録モード情報とを読み出す取得手段と、
前記指示の入力に応答して、前記メディア情報と記録モード情報と前記プログラムとに基づいて、前記装着された記録媒体に対するデータの記録と、前記記録媒体から他の記録媒体へのデータの複写と、データの編集と、データの消去と、前記記録媒体に記録されているデータに加えて新たなデータを記録する追記とが、各々可能であるか否かを判断する判断手段と、
前記判断手段による判断の結果に基づいて、可能であると判断されたデータの処理の態様と、可能でないと判断されたデータの処理の態様とを、異なる表示態様でそれぞれ表わすための表示データを生成する生成手段と、
前記表示データを出力する出力手段とを備える、データ記録再生装置。
【請求項２】
記録媒体が着脱可能な駆動手段を備え、
前記記録媒体には、媒体の種類を表わすメディア情報と、データの記録の方式を表わす記録モード情報とが格納されており、
さらに、
前記駆動手段に装着される記録媒体におけるデータの書き込みおよび読み出しの可否を特定するための特定情報を格納する記憶手段と、
前記駆動手段に装着された記録媒体から、前記メディア情報と前記記録モード情報とを読み出す取得手段と、
前記メディア情報と記録モード情報と前記特定情報とに基づいて、前記装着された記録媒体におけるデータの書き込みおよび読み出しの可否を判断する判断手段と、
前記判断手段による判断の結果を表わすための表示データを生成する生成手段と、
前記生成された表示データを出力する出力手段とを備える、データ記録再生装置。
【請求項３】
異なる種類の前記記録媒体の各々が、前記駆動手段に着脱可能である、請求項２に記載のデータ記録再生装置。
【請求項４】
前記記憶手段は、前記記録媒体におけるデータの書き込みおよび読み出しの可否を特定するために予め定められたプログラムを格納し、
前記判断手段は、前記メディア情報および前記記録モード情報を使用して前記プログラムを実行することにより、前記装着された記録媒体におけるデータの書き込みおよび読み出しの可否を判断する、請求項２または請求項３に記載のデータ記録再生装置。
【請求項５】
前記記憶手段は、前記駆動手段に装着可能な記録媒体の種類ごとに、データの書き込みおよび読み出しの可否について予め定められた判断データを格納し、
前記判断手段は、前記メディア情報および前記記録モード情報と前記判断データとを比較することにより、前記装着された記録媒体におけるデータの書き込みおよび読み出しの可否を判断する、請求項２または請求項３に記載のデータ記録再生装置。
【請求項６】
前記データの書き込みおよび読み出しは、前記装着された記録媒体に対するデータの記録と、前記記録媒体から他の記録媒体へのデータの複写と、データの編集と、データの消去と、前記記録媒体に記録されているデータに加えて、新たなデータを記録する追記とを含む、請求項２〜５のいずれかに記載のデータ記録再生装置。
【請求項７】
前記データ記録再生装置は、外部からの指示の入力を受け付ける入力手段をさらに備え、
前記判断手段は、前記記録媒体におけるデータの書き込みおよび読み出しの可否を判断する指示の入力に基づいて、前記可否を判断する、請求項２〜６のいずれかに記載のデータ記録再生装置。
【請求項８】
前記データ記録再生装置は、前記駆動手段に対する記録媒体の装着を検知する検知手段をさらに備え、
前記判断手段は、前記装着の検知に応答して前記可否を判断する、請求項２〜６のいずれかに記載のデータ記録再生装置。
【請求項９】
前記生成手段は、可能であると判断されたデータの処理の態様と、可能でないと判断されたデータの処理の態様とを、異なる表示態様でそれぞれ表わすためのデータを、前記表示データとして生成する、請求項２〜８のいずれかに記載のデータ記録再生装置。
【発明の詳細な説明】
【技術分野】
【０００１】
本発明は、データ記録再生装置に関し、より特定的には、データ記録媒体が着脱可能なデータ記録再生装置に関する。
【背景技術】
【０００２】
ＤＶＤ（Digital Versatile Disk）記録再生装置その他のデータ記録再生装置は、複数種類の記録媒体（たとえばディスク）が装着可能である。このデータ記録再生装置では、各装置ごとに、それぞれ使用可能な記録媒体に制限がある場合が多い。そのため、たとえば、ある装置においてデータの書き込みができないディスクが装着された場合、映像音声が実際にそのディスクに記録されるまで、ユーザは、そのディスクにおける書込が制限されていることを知ることができなかった。一方、当該装置の使用説明書には係る制限に関する記載がなされている場合が多いが、その記載を都度参照する必要があり、装置の利便性が必ずしも良好ではなかった。
【０００３】
そこで、たとえば特開平１０−２２８７１８号公報（特許文献１）は、装着されたディスクの種類を識別した後にディスク表示を行うことができる光ディスク装置を開示する。この装置は、光ディスクにレーザー光を入射し、反射光から得られる信号を使用して光ディスクの種類を判別し、そしてディスク判別信号を出力するディスク判別回路と、装着された光ディスクの種類を表示する光ディスク表示回路とを含む。
【０００４】
特許文献１に開示された光ディスク装置によると、装着されたディスクの種類が表示されるため、誤操作が防止され得る。
【特許文献１】特開平１０−２２８７１８号公報
【発明の開示】
【発明が解決しようとする課題】
【０００５】
ところで、光ディスク装置その他のデータ記録再生装置について、データの書き込みあるいは読み出しに関し、様々なモードで利用可能な装置が提案されている。この場合、特定のモードで利用可能な媒体は、そのモードに対応した装置において、データの書き込みあるいは読み出しが可能になる。そのため、装置が対応していないモードで使用可能な媒体が当該装置に装着された場合、装置のユーザはその媒体を使用できない場合もあった。
【０００６】
このような場合、特許文献１に開示された光ディスク装置によると、装着されたディスクの種類のみが表示される。いずれのモードが使用可能であるかは、当該装置の使用書などを参照する必要がある。そのため、ユーザの利便性が必ずしも良好ではなかった。
【０００７】
本発明は、上述の問題点を解決するためになされたものであって、その目的は、誤操作を防止して利便性を向上させることができるデータ記録再生装置を提供することである。
【課題を解決するための手段】
【０００８】
上記の課題を解決するために、この発明のある局面に従うと、データ記録再生装置は、記録媒体が着脱可能な駆動手段を備える。記録媒体には、媒体の種類を表わすメディア情報と、データの記録の方式を表わす記録モード情報とが格納されている。データ記録再生装置は、さらに、駆動手段に装着される記録媒体におけるデータの書き込みおよび読み出しの可否を特定するために予め作成されたプログラムを格納する記憶手段と、外部から指示の入力を受け付ける入力手段と、駆動手段に装着された記録媒体から、メディア情報と記録モード情報とを読み出す取得手段と、指示の入力に応答して、メディア情報と記録モード情報とプログラムとに基づいて、装着された記録媒体に対するデータの記録と、記録媒体から他の記録媒体へのデータの複写と、データの編集と、データの消去と、記録媒体に記録されているデータに加えて新たなデータを記録する追記とが、各々可能であるか否かを判断する判断手段と、判断手段による判断の結果に基づいて、可能であると判断されたデータの処理の態様と、可能でないと判断されたデータの処理の態様とを、異なる表示態様でそれぞれ表わすための表示データを生成する生成手段と、表示データを出力する出力手段とを備える。
【０００９】
この発明の他の局面に従うと、データ記録再生装置は、記録媒体が着脱可能な駆動手段を備える。記録媒体には、媒体の種類を表わすメディア情報と、データの記録の方式を表わす記録モード情報とが格納されている。データ記録再生装置は、さらに、駆動手段に装着される記録媒体におけるデータの書き込みおよび読み出しの可否を特定するための特定情報を格納する記憶手段と、駆動手段に装着された記録媒体から、メディア情報と記録モード情報とを読み出す取得手段と、メディア情報と記録モード情報と特定情報とに基づいて、装着された記録媒体におけるデータの書き込みおよび読み出しの可否を判断する判断手段と、判断手段による判断の結果を表わすための表示データを生成する生成手段と、生成された表示データを出力する出力手段とを備える。
【００１０】
好ましくは、異なる種類の記録媒体の各々が、駆動手段に着脱可能である。
【００１１】
好ましくは、記憶手段は、記録媒体におけるデータの書き込みおよび読み出しの可否を特定するために予め定められたプログラムを格納している。判断手段は、メディア情報および記録モード情報を使用してプログラムを実行することにより、装着された記録媒体におけるデータの書き込みおよび読み出しの可否を判断する。
【００１２】
好ましくは、記憶手段は、駆動手段に装着可能な記録媒体の種類ごとに、データの書き込みおよび読み出しの可否について予め定められた判断データを格納する。判断手段は、メディア情報および記録モード情報と判断データとを比較することにより、装着された記録媒体におけるデータの書き込みおよび読み出しの可否を判断する。
【００１３】
好ましくは、データの書き込みおよび読み出しは、装着された記録媒体に対するデータの記録と、記録媒体から他の記録媒体へのデータの複写と、データの編集と、データの消去と、記録媒体に記録されているデータに加えて、新たなデータを記録する追記とを含む。
【００１４】
好ましくは、データ記録再生装置は、外部からの指示の入力を受け付ける入力手段をさらに備える。判断手段は、記録媒体におけるデータの書き込みおよび読み出しの可否を判断する指示の入力に基づいて、可否を判断する。
【００１５】
好ましくは、データ記録再生装置は、駆動手段に対する記録媒体の装着を検知する検知手段をさらに備える。判断手段は、装着の検知に応答して可否を判断する。
【００１６】
好ましくは、生成手段は、可能であると判断されたデータの処理の態様と、可能でないと判断されたデータの処理の態様とを、異なる表示態様でそれぞれ表わすためのデータを、表示データとして生成する。
【発明の効果】
【００１７】
本発明に係るデータ記録再生装置によると、ユーザは、当該装置に装着可能な記録媒体へのデータの書き込みおよび読み出しの可否を容易に確認することができるため、ユーザの誤操作が防止され、利便性が向上し得る。
【発明を実施するための最良の形態】
【００１８】
以下、図面を参照しつつ、本発明の実施の形態について説明する。以下の説明では、同一の部品には同一の符号を付してある。それらの名称および機能も同じである。したがってそれらについての詳細な説明は繰り返さない。
【００１９】
図１を参照して、本発明の実施の形態に係るＤＶＤレコーダ１００の構成について説明する。図１は、ＤＶＤレコーダ１００のハードウェア構成を表わすブロック図である。なお、ＤＶＤレコーダ１００は、本発明に係るデータ記録再生装置の一態様であり、これに限られるものではない。
【００２０】
ＤＶＤレコーダ１００は、外部から指示の入力を受付けてその指示に応じた信号を出力するための操作部１２２と、リモコン信号を受信してその信号に応じた指令を出力するための受光部１２４と、ＤＶＤレコーダ１００の時刻を計測してその時刻に応じた信号を出力するための計時回路１２６と、ＤＶＤレコーダ１００の動作の状態を外部に表示するための表示部１２８とを含む。ここで、動作の状態とは、たとえばＤＶＤレコーダ１００が再生中であるか録画中であるか、あるいは後述するように、ＤＶＤ駆動装置１７０にディスクが装着されているか否かを表わす。
【００２１】
ＤＶＤレコーダ１００は、さらに、アンテナ１９０に接続され、電波を受信して選局を指示されたチャンネルを選局するチューナ１３０と、外部に接続されたケーブル（図示しない）から映像データおよび音声データの入力を受付けるための外部入力部１３２と、チューナ１３０により選局された放送電波の映像データあるいは外部入力部１３２より入力された映像データをＭＰＥＧ（Moving Picture Experts Group）２形式に変換して出力するためのＭＰＥＧエンコーダ１５２と、外部から入力される信号と内部に予め格納されているデータとに基づいて予め定められた処理を実行するためのシステム制御回路１１０とを含む。
【００２２】
ＤＶＤレコーダ１００は、さらに、ハードディスク装置１４０と、データの読み書き可能なディスクが装着され、そのディスクに応じたデータフォーマットで映像および音声データを書込むためのＤＶＤ駆動装置１７０と、ＭＰＥＧ２形式により圧縮された映像データであって、システム制御回路１１０から出力されるデータを復元するためのＭＰＥＧデコーダ１５４と、システム制御回路１１０により出力されるＤＶＤレコーダ１００の動作の状態を表わす情報と予め定められたデータとに基づいて映像の表示部に表示させる画像を生成するためのＯＳＤ（On Screen Display）画像生成回路１１４と、ＭＰＥＧデコーダ１５４から出力されるデータとＯＳＤ画像生成回路１１４から出力されるデータとを合成して出力する合成回路１５８と、合成回路１５８から出力されるデジタル信号をアナログ信号に変換するＤ／Ａ（Digital to Analog）変換部１６０と、テレビ４００が接続され、Ｄ／Ａ変換部１６０から出力される映像および音声データを出力する出力部１６８とを含む。
【００２３】
ハードディスク装置１４０は、データの記録と再生を行なうデータ記録再生ヘッド１４２と、データが格納されるハードディスク１４４とを含む。ＤＶＤ駆動装置１７０には、ＤＶＤ−ＲＡＭ（Random Access Memory）ディスクその他のディスク１７２が装着される。ここで、ディスク１７２には、たとえばＤＶＤ±ＲＷ、ＤＶＤ−Ｒ、ＣＤ−ＲＷなどのディスクが含まれる。
【００２４】
図１を再び参照して、システム制御回路１１０は、メモリ１１２に予め格納されているデータとプログラムとに基づいて、ＤＶＤ駆動装置１７０に装着されたディスク１７２から、媒体の種類を表わすメディア情報とデータの記録の方式を表わす記録モード情報とを読み出す機能と、外部から入力される指示に応答して、読み出されたメディア情報および記録モード情報とアルゴリズムとに基づいて、装着された記録媒体に対するデータの記録と、記録媒体から他の記録媒体へのデータの複写と、データの編集と、データの消去と、記録媒体に記録されているデータに加えて、新たなデータを記録する追記とが可能であるか否かを判断する機能と、判断の結果に基づいて、可能であると判断されたデータの処理の態様と可能でないと判断されたデータの処理の態様とを異なる表示態様で表わすための表示データを生成する機能とを実現する。
【００２５】
システム制御回路１１０は、さらに、ディスク１７２から読出された信号を元の形に戻すための復調部と、読み出された信号のエラーを訂正するためのエラー訂正部と、それぞれの識別子を備えた映像信号あるいは音声信号を当該識別子に基づいて分離するためのデマルチ部として機能する。
【００２６】
図２を参照して、ディスク１７２の構造について説明する。図２は、ディスク１７２におけるデータ領域を説明するための概念図である。
【００２７】
ディスク１７２は、データを格納するための領域として、リードインエリア２００とデータエリア２１０とリードアウトエリア２５０とを含む。リードインエリア２００は、エンボスビット記録部分と書替え可能部分とを含む。エンボスビット記録部分には、コントロールデータが格納される。このコントロールデータは、たとえばディスクの種類、フォーマット、記録方法などを表わすためのデータを含む。書替え可能部分は、たとえばディスク上の欠陥を処理するためのデータを記録する領域を含む。
【００２８】
図３を参照して、ディスク１７２におけるデータ領域について説明する。図３は、データエリア２１０におけるデータ構造の一態様を概念的に表わす図である。
【００２９】
データエリア２１０は、ファイルシステム２２０を含む。ファイルシステム２２０には、ディスク１７２に記録されているデータを管理するためのデータが格納されている。この管理データには、たとえば当該ディスクがどのようなモードにより映像を記録しているかを表わすための情報を含む。このモードには、たとえばビデオモード、ＶＲ（Video Recording）モードなどが含まれる。データエリア２１０は、さらに、「ＶＩＤＥＯ＿ＴＳ．ＩＦＯ」その他のデータファイルを含む。なお、データエリア２１０におけるファイル構造は、図３に示される態様に限られない。
【００３０】
図４を参照して、本実施の形態に係るＤＶＤレコーダ１００の制御構造について説明する。図４は、ＤＶＤレコーダ１００のシステム制御回路１１０が実行する処理の手順を表わすフローチャートである。この処理は、たとえばメモリ１１２に格納されているプログラムが実行されることにより実現されるが、各処理を実現する回路によっても実現可能である。
【００３１】
ステップＳ４１０にて、システム制御回路１１０は、入力されるデータに基づいてディスクの判定処理の実行の指令を検知する。ステップＳ４２０にて、システム制御回路１１０は、ＤＶＤ駆動装置１７０に装着されているディスク１７２のリードインエリア２００からメディア情報を取得する。ここで、メディア情報とは装着されているディスクの種類を表わすための情報をいう。
【００３２】
ステップＳ４３０にて、システム制御回路１１０は、ディスク１７２のデータエリア２１０から記録モード情報を取得する。より特定的には、システム制御回路１１０は、ディスク１７２のファイルシステム２２０に格納されているデータに基づいて、記録モード情報を取得する。ファイルシステム２２０に当該情報がそのまま格納されている場合には、その情報が読み出される。あるいは、複数のデータを組合わせることにより、当該情報が生成されてもよい。
【００３３】
ステップＳ４４０にて、システム制御回路１１０は、取得したメディア情報と記録モード情報とに基づいて予め定められたプログラムを実行することにより、ディスク１７２の種類を特定する。このプログラムは、メディア情報と記録モード情報とを入力データとして、それぞれの情報に応じて予め対応付けられたディスクの種類が出力されるように構成されたプログラムである。
【００３４】
ステップＳ４５０にて、システム制御回路１１０は、ディスク１７２の種類に基づいて画面表示用データを生成する。たとえば、ディスク１７２がＤＶＤ−Ｒ（Recordable）のディスクであって、記録モードがビデオモードである場合には、システム制御回路１１０は、ダビングと編集と追記とが可能であることを表わすためのデータを生成する。システム制御回路１１０は、さらに、このディスクでは直接録画と消去とが不可能であることを通知するためのデータを生成する。システム制御回路１１０は、このようにして生成した項目別のデータに基づいて画面に表示するためのデータ（たとえば可能な操作を強調してたとえば下線部を付したり色を反転して表示させたりする）を生成する。あるいはディスク１７２がＤＶＤ−Ｒであって、その記録モードがＶＲモードである場合には、システム制御回路１１０は、直接録画とダビングと編集と追記とが可能であることを表わすためのデータを生成する。システム制御回路１１０は、さらに消去が不可能であることを表わすためのデータを生成する。
【００３５】
ステップＳ４６０にて、システム制御回路１１０は、生成した画面表示用データをＯＳＤ画像生成回路１１４に出力する。ＯＳＤ画像生成回路１１４は、画面に表示させるために予め定められた形式に基づいて所定の項目を表示するためのデータを生成し、合成回路１５８に出力する。
【００３６】
図５を参照して、本実施の形態に係るＤＶＤレコーダ１００により出力されるデータに基づいて表示されるディスク判定メニューについて説明する。図５は、当該出力データに基づいてテレビ４００に表示されるディスク判定メニューの画面の一態様を表わす図である。
【００３７】
図５に示されるように、ディスク１７２がＤＶＤ−Ｒであり、ビデオモードで使用されている場合には、ダビングと編集と追記とが操作可能であることを表わすように表示される。さらに、この場合、ディスク１７２に対して直接録画と消去とができないことが表示される。
【００３８】
一方、ディスクがＶＲモードにより使用されている場合には、そのディスクは、直接録画とダビングと編集と追記とが可能であることを表わす。さらにそのディスクは消去ができない旨を表わす。ここで図５においては、このような操作が可能であるか否かを表わすための表示として下線を付した態様が使用されているが、その他の態様であってもよい。たとえば有効な操作のみが通常の明るさにより表示され、操作ができない機能については、その表示部分を暗くすることにより表示する態様であってもよい。
【００３９】
以上のような構造およびフローチャートに基づく、本実施の形態に係るＤＶＤレコーダ１００の動作について説明する。
【００４０】
ユーザがディスク１７２をＤＶＤ駆動装置１７０に挿入すると、ＤＶＤレコーダ１００はディスク１７２の種類の判定処理を開始する（ステップＳ４１０）。ＤＶＤレコーダ１００は、ディスク１７２のリードインエリア２００からメディア情報を取得し（ステップＳ４２０）、さらに、データエリア２１０から記録モード情報を取得する（ステップＳ４３０）。ＤＶＤレコーダ１００がディスク１７２の種類を特定する処理を実行すると（ステップＳ４４０）、特定された種類に応じた画面表示用データが生成される（ステップＳ４５０）。ＤＶＤレコーダ１００がこの処理を終了すると、そのデータが出力され（ステップＳ４６０）、テレビ４００は、その画面を表示する。
【００４１】
以上のようにして、本実施の形態に係るＤＶＤレコーダ１００は、ＤＶＤ駆動装置１７０に装着されたディスク１７２に応じた機能を特定し、有効な操作あるいは無効な操作をそれぞれ区別して表示するためのデータを生成し、そして、そのデータを出力する。その結果、ディスク１７２におけるデータの読み込みあるいは書き込みの可否を個別にあらわすための画面が、テレビその他の表示装置に表示される。これにより、ユーザはＤＶＤレコーダ１００に装着されているディスク１７２に対してどのような操作が可能であるかを容易に確認することができる。
【００４２】
なお、本実施の形態においては、このディスクの種類の判定処理は、たとえばディスクがＤＶＤ駆動装置１７０に装着された場合に行なわれたが、その他のタイミングで行なわれてもよい。たとえば、既にディスクが装着されている場合に操作部１２２の所定のボタンを押下することにより、あるいはリモコン端末（図示しない）を介して対応する操作を行なうことにより、さらにはテレビ４００に表示されている判定処理の実行メニューを選択することにより、当該判定処理が実行されてもよい。
【００４３】
＜変形例＞
以下、本発明の実施の形態の変形例について説明する。本変形例に係るＤＶＤレコーダ１００は、ディスク毎に有効な操作と無効な操作とを表示するためのデータを予め格納している点で、前述の実施の形態に係るＤＶＤレコーダと異なる。すなわち、ＤＶＤレコーダ１００は、メモリ１１２にディスクの種類と記録モードと各機能とを関連付けて格納している。本変形例に係るＤＶＤレコーダは、図１に示されるＤＶＤレコーダ１００と同じハードウェア構成を有する。それらの機能も同じである。したがって、ハードウェア構成および機能の説明は、繰り返さない。
【００４４】
図６を参照して、本変形例に係るＤＶＤレコーダ１００のデータ構造について説明する。図６は、システム制御回路１１０のメモリ１１２におけるデータの格納の一態様を概念的に表わす図である。したがって、当該データは、他の態様により格納されてもよい。
【００４５】
領域６１０に、ディスクの種類であるメディア情報が格納されている。領域６２０に、そのディスクの記録モードを表わすためのデータが格納されている。領域６３０に、第１の処理が有効であるか否かを表わすためのデータが格納されている。ここで第１の処理は、たとえば直接録画である。領域６４０に、第２の処理が有効であるか否かを表わすためのデータが格納されている。ここで第２の処理は、たとえば記録データのダビングである。領域６５０に、第３の処理が有効であるか否かを表わすためのデータが格納されている。ここで第３の処理は、データの編集である。領域６６０に、第４の処理が有効であるか否かを表わすためのデータが格納されている。ここで第４の処理は、記録されているデータの消去である。領域６７０に、第５の処理が有効であるか否かを表わすためのデータが格納されている。ここで第５の処理は、データの追記である。領域６８０に、第６の処理が有効であるか否かを表わすためのデータが格納されている。ここで第６の処理は、ｍｐ３（MPEG-1 Audio Layer-III）データの再生である。この処理は、たとえば、ＣＤ（Compact Disk）もＤＶＤレコーダ１００において利用可能な場合に、当該判定処理の対象となり得る。
【００４６】
このように、各ディスクの種類に応じたデータをこのように格納しておくことにより、ＤＶＤ駆動装置１７０に対するディスクの装着時に装着されたディスクの種類（領域６１０）に応じたモードと機能が有効であるか否かを表わす情報が検索される。このようにして検索されたデータに基づいてＯＳＤ画像生成回路１１４は、画面に表示するためのデータを生成する。
【００４７】
この場合システム制御回路１１０は、図４のステップＳ４４０に示される処理に代えて、上述したようにメモリ１１２からデータを検索する処理を実行する。このようにしても、ユーザにディスクの種類と有効な機能とを容易に通知することができる。
【００４８】
以上のようにして、本変形例に係るデータ記録再生装置１００によっても、装着されたディスク１７２におけるデータの書き込みあるいは読み出しの処理の実行に関し、処理の可否を表わす画面が表示されるため、ユーザは誤操作を防止することができる。
【００４９】
なお、本実施の形態に係るＤＶＤレコーダ１００は、図１に示されるように、ハードディスク装置１４０を含むが、係る装置を含まないものであってもよい。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５１】
本発明は、記録媒体が着脱可能なデータ記録装置、たとえば、ＤＶＤレコーダ、ＣＤプレーヤ等に適用可能である。
【図面の簡単な説明】
【００５２】
【図１】本発明の実施の形態に係るＤＶＤレコーダのハードウェア構成を表わすブロック図である。
【図２】本発明の実施の形態に係るＤＶＤレコーダに装着されるディスクにおけるデータ領域を説明するための概念図である。
【図３】本発明の実施の形態に係るＤＶＤレコーダに装着されるディスクのデータエリアにおけるデータ構造の一態様を概念的に表わす図である。
【図４】本発明の実施の形態に係るＤＶＤレコーダが実行する処理の手順を表わすフローチャートである。
【図５】本発明の実施の形態に係るＤＶＤレコーダにより出力されるデータに基づいて表示されるディスク判定メニューの画面の一態様を表わす図である。
【図６】本発明の実施の形態の変形例に係るＤＶＤレコーダにおけるデータの格納の一態様を概念的に表わす図である。
【符号の説明】
【００５３】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ディスク、１９０  アンテナ、４００  テレビ。
【図１】
2006040320.tif 000003
【図２】
2006040320.tif 000004
【図３】
2006040320.tif 000005
【図４】
2006040320.tif 000006
【図５】
2006040320.tif 000007
【図６】
2006040320.tif 000008